(57)【要約】【課題】防護柵を設置する作業者がビーム材をビーム材保持部に載置する際、ビーム材を持ち上げる高さが低くて済み、作業者の負担が軽くなり、防護柵の設置が容易になる接続金具及び当該接続金具を用いた防護柵を提供すること。【解決手段】支柱に取り付けられるベース部と、ビーム材の端部に取り付けられる略円筒形状のビーム材保持部とからなり、前記ビーム材保持部は、ビーム材の端部を下方から支持して保持するビーム材受け部と、前記ビーム材端部及びビーム材受け部の上方から被せるカバー部とを備え、前記ビーム材保持部とカバー部とは、半割り状の一対の部材により略円筒形状をなし、前記ビーム材保持部の防護柵正面側又は背面側のいずれか一方の側壁が他方の側壁よりも低く形成されるようにした。【選択図】        図３
2020056190.tif 000002
【特許請求の範囲】
【請求項１】
所定の間隔を空けて立設された支柱間にビーム材を差し渡してなる防護柵において支柱にビーム材を接続するための接続金具であって、支柱に取り付けられるベース部と、ビーム材の端部に取り付けられる略円筒形状のビーム材保持部とからなり、
前記ビーム材保持部は、ビーム材の端部を下方から支持して保持するビーム材受け部と、前記ビーム材端部及びビーム材受け部の上方から被せるカバー部とを備え、
前記ビーム材保持部とカバー部とは、半割り状の一対の部材により略円筒形状をなし、
前記ビーム材保持部の防護柵正面側又は背面側のいずれか一方の側壁が他方の側壁よりも低く形成されていることを特徴とする接続金具。
【請求項２】
前記ベース部とビーム材受け部は、一体的に形成されていることを特徴とする請求項１に記載の接続金具。
【請求項３】
所定の間隔を空けて立設された複数の支柱と、前記支柱間に差し渡されるビーム材と、前記支柱と前記ビーム材の端部とを接続する請求項１又は２に記載の接続金具とを備えた防護柵。
【発明の詳細な説明】
【技術分野】
【０００１】
本発明は道路等に設置されるパネル柵やビーム柵、メッシュフェンス柵等の防護柵において、支柱とビーム材とを接続するための接続金具、及び当該接続金具を用いた防護柵に関するものである。
【背景技術】
【０００２】
従来、道路等に設置される防護柵のビーム取付構造及び取付金具としては、例えば、支柱に固定されてビームの端部を保持する金具を備えた取付構造であって、当該金具は、支柱に固定されるベース部（ベース金具）と、ビーム端部を下方から支持するビーム受け部（ビーム受け金具）と、ビーム端部の上面を覆う被せ部（被せ金具）とからなる金具によるものがある。当該取付構造においては、前記ビーム受け部と被せ部とは、上下に半割り状とした一対の部材であって、当該一対のビーム受け部と被せ部とにより形成された略円筒形状の開口内部にビーム材を保持するようになされている（特許文献１）。この従来の取付構造乃至取付金具によれば、支柱に取り付けたビーム受け部にいったんビーム材を載置して仮置きした状態で、その上から被せ金具を被せ、その上でボルト及びナットにより固定するものである。
【先行技術文献】
【特許文献】
【０００３】
【特許文献１】特開２０１１−１９６１４２
【発明の概要】
【発明が解決しようとする課題】
【０００４】
しかしながら、上記従来の取付構造乃至取付金具によれば、支柱に取り付けたビーム受け部にビーム材を載置する際、ビーム材の取り付け作業を行う側のビーム受け部の上端よりも高くビーム材を持ち上げて、ビーム受け部に載置する必要がある。ところが、この従来の取付構造乃至取付金具によれば、防護柵の正面側も背面側もビーム受け部の端部は同じ高さに設定されており、長尺かつ重量の大きいビーム材を持ち上げて載置することは作業者にとって大きな負担となっている。
【０００５】
本発明は上述の課題を克服するためのものであり、防護柵を設置する作業者が、ビーム材を持ち上げる高さを少なくし、作業の負担をできるだけ軽くすることを可能としたビーム材の接続金具を提供することを目的とする。
【課題を解決するための手段】
【０００６】
上記目的を達成するために、本発明は次のような構成としている。すなわち、本発明に係る接続金具は、所定の間隔を空けて立設された支柱間にビーム材を差し渡してなる防護柵において支柱にビーム材を接続するための接続金具であって、支柱に取り付けられるベース部と、ビーム材の端部に取り付けられる略円筒形状のビーム材保持部とからなり、
【０００７】
前記ビーム材保持部は、ビーム材の端部を下方から支持して保持するビーム材受け部と、前記ビーム材端部及びビーム材受け部の上方から被せるカバー部とを備え、
前記ビーム材保持部とカバー部とは、半割り状の一対の部材により略円筒形状をなし、
前記ビーム材保持部の防護柵正面側又は背面側のいずれか一方の側壁が他方の側壁よりも低く形成されていることを特徴とするものである。
【０００８】
本発明に係る接続金具によれば、前記ビーム材保持部の防護柵正面側又は背面側のいずれか一方の側壁が他方の側壁よりも低く形成されているので、防護柵を設置する作業者がビーム材をビーム材保持部に載置する際、ビーム材を持ち上げる高さが低くて済むので、作業者の負担が軽くなる。
【０００９】
また、本発明に係る接続金具において、前記ベース部とビーム材受け部は、一体的に形成されていてもよい。このようにすれば、防護柵の設置作業が更に容易となる。
【発明の効果】
【００１０】
本発明によれば、前記ビーム材保持部は、ビーム材の端部を下方から支持して保持するビーム材受け部と、前記ビーム材端部及びビーム材受け部の上方から被せるカバー部とを備え、前記ビーム材保持部とカバー部とは、半割り状の一対の部材により略円筒形状をなし、前記ビーム材保持部の防護柵正面側又は背面側のいずれか一方の側壁が他方の側壁よりも低く形成されているので、防護柵を設置する作業者がビーム材をビーム材保持部に載置する際、ビーム材を持ち上げる高さが低くて済み、作業者の負担が軽くなる。
【図面の簡単な説明】
【００１１】
【図１】本発明に係る接続金具を用いた防護柵の一実施形態を示す正面図である。
【図２】図１に示した防護柵の背面図である。
【図３】本発明に係る接続金具を用いて支柱とビーム材を接続する様子を示す説明図であり、接続前の分解斜視図である。
【図４】図３に示した、接続金具を用いて支柱とビーム材を接続する様子を示す説明図であり、接続完了の状態を示した斜視図である。
【図５】図４に示した接続金具の正面図である。
【図６】図４に示した接続金具の背面図である。
【図７】図４に示した接続金具の平面図である。
【発明を実施するための形態】
【００１２】
次に、本発明を実施するための最良の形態について図面を参照し、具体的に説明する。
【００１３】
図１から図７は、本発明に係る接続金具、及び当該接続金具を用いた防護柵の一実施形態を示すものであり、図１及び図２は、接続金具を用いた防護柵を、図３及び図４は、接続金具を用いて支柱とビーム材を接続する様子を、そして図５乃至図７は、接続金具を示す図である。
【００１４】
図１及び図２に示すように、本実施形態に係る接続金具４を用いた防護柵１は、間隔をおいて地面に複数立設された支柱２間にビーム材３が差し渡され、支柱２とビーム材３とが接続金具４により接続されてなるものである。接続金具４は、ベース金具５とカバー金具（カバー部）６とからなる。ベース金具５は、図３に示すように、支柱２に当接され取り付けられるベース部５１と、ベース部５１から水平方向に突設され、側面視略半円固形状を備えたビーム材受け部５２とが一体的に形成されたものである。また、カバー金具６は、ビーム受け部５２に被せられビーム材３の端部を覆うものである。これにより、図１〜図３に示されるように、ビーム材受け部５２とカバー部６は、半割り状の一対の部材として形成され略円筒形状をなし、当該円筒形状部の開口内にビーム材３の端部が挿入され、固定される。
【００１５】
図３及び図４は、本実施形態において接続金具４を用いて支柱２とビーム材３とを接続する様子を示した図であり、図３に示すように、ベース金具５のベース部５１は挿通孔５１１が形成されており、支柱に形成されたボルト孔２１及びベース部５１の挿通孔５１１にボルトＢ１を挿通させナットＮ１を締結して、ベース金具５が支柱に固定される。尚、ベース部５１の挿通孔５１１は、水平方向に長い長孔となされている。これによって、道路が左右に曲がっている場合でも、当該道路に沿うようにベース金具５の取り付け角度を調整することができ、これにより道路の曲がり具合に合わせて防護柵１を設置することが可能となる。
【００１６】
この状態において、ビーム材３をビーム受け部５２の円弧状の凹部に載置するのであるが、このとき、防護柵１の正面側（作業者が作業する側）のビーム受け部５２の側壁５２１が低く形成されているので、作業者がビーム材３を持ち上げる高さが必要最小限で足り、これにより作業者の負担を低減することができる（図３及び図５〜図７参照）。これに対し、防護柵の背面側（作業者が作業する側の反対側）のビーム材受け部５２の側壁５２２は、高く形成されている。これによって、作業者が正面側からビーム材３を持ち上げ、多少勢いよくビーム材受け部５２に載置する動作を行う場合であっても、ビーム材３が側壁５２２に突き当たり、ビーム材３を背面側に落としてしまう恐れが少なくなる。
【００１７】
ビーム材３をビーム材受け部５２に載置して仮置きしたのち、カバー部（カバー金具）６をその上から被せる。これによりビーム材３の端部が、カバー部６により覆われる。その上で、ボルトＢ２を、ビーム材受け部５２に形成された挿通孔５２３及びビーム材３に形成されたボルト孔３１に挿通させる。カバー部６に形成されたボルト孔６１内にはねじ溝が形成されており、ボルトＢ２をこのボルト孔６１に螺入して、ビーム材３を接続金具４にしっかりと締結する。
【００１８】
尚、ビーム材３に形成されたボルト孔３１は、ビーム材３の長手方向に長い長孔として形成されている。これにより、支柱２間の多少の距離の違いがあっても、ビーム材３を公好適に取り付けることが可能である。
【００１９】
以上、本発明に係る接続金具及び当該接続金具を用いた防護柵について、実施形態に基づいて説明したが、本発明は、上述した実施形態に限定されるものではない。本発明の要旨を逸脱しない範囲内で当業者が思いつく各種変形を施したものも本発明の範囲内に含まれる。例えば、
【産業上の利用可能性】
【００２０】
本発明によれば、防護柵を設置する作業者がビーム材をビーム材保持部に載置する際、ビーム材を持ち上げる高さが低くて済み、作業者の負担が軽くなり、防護柵の設置が容易になる。
【符号の説明】
【００２１】
１      防護柵
２      支柱
３      ビーム材
３１    ボルト孔
４      接続金具
５      ベース金具
５１    ベース部
５２    ビーム材受け部
５２１  （正面側）側壁
５２２  （背面側）側壁
５２３  挿通孔
６      カバー部（カバー金具）
６１    ボルト孔
７      ビーム材保持部
【図１】
2020056190.tif 000003
【図２】
2020056190.tif 000004
【図３】
2020056190.tif 000005
【図４】
2020056190.tif 000006
【図５】
2020056190.tif 000007
【図６】
2020056190.tif 000008
【図７】
2020056190.tif 000009